(57)【要約】【課題】利便性に富み、しかも使用者が楽しさを感じる携帯電話機の呼出し装置を提供すること。【解決手段】画面に入力に応じた表示を行う表示手段ＤＩＳと、この表示画面に表示された内容中のいずれかを選択する選択キーＫｓとをそなえた携帯電話機において、少なくとも一人の所定の呼出し相手を呼出す際に操作するマイメンバーキーＫｍと、前記マイメンバーキーが操作されたとき、前記表示手段の画面に前記所定の呼出し相手の各特徴を有する少なくとも一つのアイコンを表示させるアイコン出力手段と、前記選択キーの操作により前記表示手段に表示されたアイコン中の所望のものが選択されると、前記表示手段に通信方法のメニュー出力を与える通信メニュー出力手段と、前記選択キーの操作により前記通信メニュー出力手段に表示されたメニュー中から所望の通信方法が選択されると、選択された通信方法で送信を開始する通信手段とをそなえたことを特徴とする携帯電話機の呼出し装置。【選択図】  図１
2004208217.tif 000002
【特許請求の範囲】
【請求項１】
画面に入力に応じた表示を行う表示手段と、この表示画面に表示された内容中のいずれかを選択するための選択キーとをそなえた携帯電話機において、
少なくとも一人の所定の呼出し相手を呼出す際に操作するマイメンバーキーと、
前記マイメンバーキーが操作されたとき、前記表示手段の画面に前記所定の呼出し相手の各特徴を有する少なくとも一つのアイコンを表示させるアイコン出力手段と、
前記選択キーの操作により前記表示手段に表示されたアイコン中の所望のものが選択されると、前記表示手段に通信方法のメニュー出力を与える通信メニュー出力手段と、
前記選択キーの操作により前記通信メニュー出力手段に表示されたメニュー中から所望の通信方法が選択されると、選択された通信方法で送信を開始する通信手段と
をそなえたことを特徴とする携帯電話機の呼出し装置。
【請求項２】
請求項1記載の携帯電話機の呼出し装置において、
前記アイコンは、キャラクタ・デザインである携帯電話機の呼出し装置。
【請求項３】
請求項1記載の携帯電話機の呼出し装置において、
前記表示手段は、入力された画像データを利用してアイコンを形成する機能を有する携帯電話機の呼出し装置。
【発明の詳細な説明】
【０００１】
【産業上の利用分野】
本発明は、携帯電話機の呼出し装置に係り、とくに特定の相手方の呼出しを簡便に行うための装置に関する。
【０００２】
【従来の技術】
携帯電話機での呼出しは、キーボードのテンキー等を操作して行う方法の外に、キーボードの操作によって予め記憶されているデータを読み出し、このデータに基いて発信動作を行うことがある。そして、なかでも頻繁に通話する特定者等を呼出すために、ショートカット手法が採用されており、これにはハードウェアによるものと、ソフトウェアによるものとがある。
【０００３】
ハードウェアによるものは、予めキー毎に呼出し相手を登録しておき、当該キーを押すと相手を呼出すことができる。また、ソフトウェアによるものは、特許文献１ないし３に示すように、ハードウェアの場合のキーに代えて予め登録したアイコンを用いることにより相手を呼出すようにしている。
【０００４】
【特許文献１】
特開2000-184041号公報
【特許文献２】
特開2001-127872号公報
【特許文献３】
特開2002-271477号公報
【０００５】
【発明が解決しようとする課題】
上記ショートカットによるもののうち、ハードウェアによるものは、実際にサービスが行われているが、次の(1)ないし(4)のような問題点がある。
(1)    どのキーに誰を登録したのかを視覚的に認識できず、記憶しておかなければならない。
(2)    電話発信のみでメールの送信ができない。
(3)    キー操作数は低減できるものの、使う楽しさがない。
(4)    操作方法は各社区々であり、機種変更したら操作を覚え直さないといけない。
【０００６】
一方、ソフトウェアによるものは、次の(1)ないし(3)のような問題点がある。
(1)    アイコンのデザインが無機質なものであり、使う上での楽しさがない。
(2)    操作方法は各メーカー区々であり、機種変更すると操作を覚え直す必要がある。
(3)    一つのアイコンにつき1つの相手もしくは機能しか登録できない。
【０００７】
本発明は上述の点を考慮してなされたもので、利便性に富み、しかも使用者が使用することに楽しさを感じる携帯電話機の呼出し装置を提供することを目的とする。
【０００８】
【課題を解決するための手段】
上記目的達成のため、本発明では、
画面に入力に応じた表示を行う表示手段と、この表示画面に表示された内容中のいずれかを選択するための選択キーとをそなえた携帯電話機において、少なくとも一人の所定の呼出し相手を呼出す際に操作するマイメンバーキーと、前記マイメンバーキーが操作されたとき、前記表示手段の画面に前記所定の呼出し相手の各特徴を有する少なくとも一つのアイコンを表示させるアイコン出力手段と、前記選択キーの操作により前記表示手段に表示されたアイコン中の所望のものが選択されると、前記表示手段に通信方法のメニュー出力を与える通信メニュー出力手段と、前記選択キーの操作により前記通信メニュー出力手段に表示されたメニュー中から所望の通信方法が選択されると、選択された通信方法で送信を開始する通信手段とをそなえたことを特徴とする携帯電話機の呼出し装置、
を提供するものである。
【０００９】
【発明の実施の形態】
図1は、本発明に係る携帯電話機の使用時状態を示している。この携帯電話機は、本体側にキーボードＫＢが設けられており、そのうちの一つが選択操作をするときに押される選択キーＫｓであり、また他の一つが特定の相手を呼出す際に操作するマイメンバーキーＫｍである。
【００１０】
キーボードＫＢには、音声通信を開始するときに操作する発信ボタンＫｅ、メールを発信するときに操作するメールボタンＫｔ等も備えられている。このうちメールボタンは、短押下でＥメール送信、長押下でスカイメッセージ（絵文字入りの簡単メッセージ）送信となる。
【００１１】
他方、常時は本体に対して重なるように折畳まれ、使用時に図示状態に展開される蓋部には、ディスプレーＤＩＳおよびアンテナＡＮＴが設けられている。そして、携帯電話機としての一般的機能は全てそなえている上に、画像データをアイコンとして登録し、これを利用する機能、通信方法のメニューを登録し、これを利用する機能をそなえている。
【００１２】
携帯電話機におけるキーボードＫＢのキー操作は、ディスプレーＤＩＳの表示内容を見ながら行われることが多く、マイメンバーキーＫｍの操作は、ディスプレーＤＩＳにマイメンバーとして予め登録されている呼出し相手のアイコン群を表示させるために行い、選択キーＫｓの操作は、ディスプレーＤＩＳに表示されたフォルダに保存されているアイコン群から１つのアイコンを選択する。
【００１３】
図２は、本発明における呼出し動作を行うための、マイメンバーの事前登録操作を示したフローチャートである。
【００１４】
マイメンバー呼出しを行うには、マイメンバーキーＫｍを押す。これにより、ディスプレーＤＩＳ上に表示設定メニューが表示される（ステップＳ０１）。このメニューには、「１．表示設定  ２．表示位置変更  ３．表示グループ名変更４．表示設定解除」が含まれており、カーソル操作もしくは数字キー操作により何れかを選択する。
【００１５】
この場合、「１．表示設定」を選択する。選択により、「設定者[      ]」および「アイコン[      ]」なる２つの穴埋め表示がされる（ステップＳ０２）。この２つの表示中からカーソル操作等により「設定者[      ]」を選択したとすると（ステップＳ０３）、ステップＳ０５に移行してアドレス帳が表示される。
【００１６】
表示されたアドレス帳からマイメンバーを選択すると（ステップＳ０６）、ステップＳ０７に移行する。そして、選択された設定者に対応するアイコンが選択されていれば、設定動作が終了する。
【００１７】
一方、アイコンが未選択であればステップＳ０３に戻るから、カーソル等で「アイコン」を選択するとステップＳ０４を経てステップＳ０８に移行し、選択できるアイコンを一覧表示する。
【００１８】
そのうち一つをカーソル等の操作により選択すると（ステップＳ０９）、ステップＳ１０に移行して「設定者」が選択されていることを確認して（ステップＳ１０）、設定動作が終了する。
図３は、図１に示した携帯電話機を用いて特定の相手を呼出すための操作内容をグラフィック表示した説明図である。
【００１９】
特定の相手を呼出すには、まず操作[1]によりマイメンバーキーＫｍを押して特定の呼出し相手の呼出しモードに切換える。これにより、携帯電話機のディスプレーＤＩＳには、画面の中央部に特定者数名（図示の場合８名）のキャラクター・アイコンが４つずつ上下２段に表示される。図３では、単なる円で示しているが、実際は一つ一つが異なっており、しかも各アイコンの特徴を表わす動物であるとか、アニメーションによるキャラクター・アイコンが表示される（操作[２]）。
【００２０】
図では、上段左から２番目にあるキャラクター・アイコンを選択し、このキャラクター・アイコンは[丸山角夫]氏を示すものであるとする。この丸山角夫氏を選択するために、選択キーＫｓを押してアイコンの選択操作を行う。
【００２１】
アイコンが選択されると、操作[３]に移行し、「（1）電話を掛ける。(2)Ｅメールを送る。(3)スカイメッセージを送る。」の何れかを選択することができる。
【００２２】
ここでは、選択キーＫｓを操作することにより「(1)電話を掛ける。」を選択する。これにより、操作[４]に移行して通話可能状態となる。操作[３]で「(2)Ｅメールを送る。」あるいは「(3)スカイメッセージ（ＳＭＳ）を送る。」が選択されていると、メールあるいはメッセージの作成後に送信が行われる。
【００２３】
図４は、図３を用いて説明した動作内容につき、フローチャートとして示したものである。このフローチャートにより、改めて操作内容を説明する。
【００２４】
まず携帯電話機の電源投入を含めた操作が行われてマイメンバーキーＫｍが押されると、ステップＳ２１からステップＳ２２に移行して、図３の操作[２]に示したように、マイメンバーである特定の人達の各キャラクター・アイコンを携帯電話機のディスプレーＤＩＳに表示する。キャラクター・アイコンは、ダウンロードあるいはカメラ撮像により取り込み、予め登録しておく。
【００２５】
この表示されたキャラクター・アイコンのうちの一つを、選択キーＫｓの操作により選択する（ステップＳ２３）。選択されると、ステップＳ２４を経てステップＳ２５に移行し、図３の操作[３]に示すような３種類の通信方法メニューを表示する。
【００２６】
表示されたメニュー中から一つの通信方法が選択されると（ステップＳ２６）、ステップＳ２７に移行しその判別が行われる。そして、電話であれば、ステップＳ２８に移行して電話の通話が行われる。また、メールが選択されれば、ステップＳ２９に移行してメールの作成が行われ、完了すると（ステップＳ３０）ステップＳ３３に移行し、送信される。さらに、スカイメッセージが選択されれば、ステップＳ３１に移行してスカイメッセージが作成され、完了すると（ステップＳ３２）、さらにステップＳ３３に移行して送信される。
【００２７】
図５は、図４に示した操作内容をより簡便にした操作内容を示すフローチャートである。この場合、通信方法の選択を、携帯電話機に設けられているハードボタンの、いわゆるワンタッチ操作によっても行うようにしている。ハードボタンとは、図1の例で言えば、発信ボタンＫｅ（音声通信用）、メールボタンＫｔ（短押下でメール送信、長押下でスカイメッセージ送信）である。
【００２８】
この図５のフローチャートでは、図４のフローチャートにおけるステップＳ２４ないしＳ２６が省略された形となる。この省略部分は、図４におけるメニューからの選択操作が、図５では専用キーの押下操作に置き換ったものであり、どの専用キーを押すか（Ｋｅ，Ｋｔのどちらを押すか）決めた段階でメニュー選択に相当する操作が不要となっている。
【００２９】
図６は、図４および図５に示したフローチャートの動作内容を実行するための構成を示すブロック線図である。
【００３０】
すなわちマイメンバーキーＫｍを押すと、アイコン出力手段ＩＣＯＮに出力指令が与えられ、ディスプレーＤＩＳに対してマイメンバーの各アイコン表示用出力信号が出力される。
【００３１】
ディスプレーＤＩＳに表示された、例えば８つのアイコン中の一つを、選択キーＫoの操作により選択すると、ディスプレーＤＩＳから通信メニュー出力手段ＭＥＮＵに対してメニュー出力指令が与えられる。これに応じて、通信メニュー出力手段ＭＥＮＵからディスプレーＤＩＳに対してメニュー出力信号が与えられ、ディスプレーＤＩＳに例えば３種類の通信方法のメニューが表示される。
【００３２】
この表示されたメニュー中から選択キーＫoの操作により一つの通信方法を選択すると、通信手段ＣＯＭからアンテナＡＮＴに通信信号が供給されて通信が行われる。
【００３３】
図７は、本発明における呼出し動作を行うための、マイメンバーの事前登録操作の変形例を示したフローチャートである。このフローチャートは基本的に図２に示した操作内容を基礎にするもので、図７におけるステップＳ１１ないしＳ１４が新たに加わったものである。
【００３４】
この変形例では、アイコンとして撮像画像を用いる場合の操作内容を示している。そのために、ステップ０４でアイコンを選択すると、ステップＳ１１以下でさらに絵文字か画像かの選択を行い、絵文字の場合は図２に示したステップＳ０８以下のステップに、画像の場合は図７のステップＳ１４以下の操作を行うことになる。
【００３５】
いまステップＳ０４でアイコンが選択、ステップＳ１１に移行して「絵文字」および「画像」がディスプレーＤＩＳにメニューとして表示される。
【００３６】
このうちから「画像」が選択すると、ステップＳ１４に移行してデータフォルダ内に格納されている画像を一覧表示する。この一覧表示された画像中の一を選択すると（ステップＳ１５）、ステップＳ１６に移行してマイメンバー用に予め定められたアイコンサイズに変換される。この変換は、撮影の前後何れに行ってもよい。撮影前であれば、事前に定めたフレーム枠を用いて撮影すればよく、撮影後であれば、マイメンバー用の
アイコンサイズに切り取るようにする等である。
【００３７】
次いで、ステップＳ１０に移行して設定者が設定されていれば、設定者とアイコンとが関連付けられる。設定者が設定されていなければ、ステップＳ０３に戻って設定者に設定を行う。
【００３８】
図８(a)，(b)は、データフォルダ内に格納された画像データの表示方法を示したもので、図８(a)は撮影画像の表示例を示し、図８(b)はダウンロードした画像の表示例を示している。
【００３９】
これらの一覧表示（図７、ステップS14）から一つを選択し（図７、ステップＳ１５）する。
【００４０】
図９ないし図１１は、画像フォルダに保存する画像データの取り込み動作を示すフローチャートである。画像データとしては、携帯電話機に予め設定されているもの以外に、外部から取り込むものとして携帯電話機に備えられたカメラによる撮影画像、インターネット経由等でダウンロードしたダウンロード画像、およびメールの添付ファイルとして送信された画像がある。
【００４１】
図９は、撮影画像を用いる場合の操作内容を示し、図１０はインターネット経由でダウンロードする場合の操作内容を示し、図１１はメールの添付ファイルを開く場合の操作内容を示している。
【００４２】
まず図９では、携帯電話機に設けられた専用ボタンである撮影ボタンを押下することにより撮影動作に入り、撮影を行う(ステップＳ５１)。次いで、ディスプレイに表示された保存／削除の選択操作を行い(ステップＳ５２)、ステップＳ５３における判断により、「保存」であればステップＳ５４に移行してデータを保存し、「削除」であればステップＳ５１に戻って撮影をし直す。
また、図１０では、インターネット接続ボタンを操作すると、ディスプレイにサイトが一覧表示される(ステップＳ６１)。 表示されたサイト中の１つを、カーソル操作により選択する(ステップＳ６２)。サイトの選択が行われると、ステップＳ６３に移行してデータの保存が行われる。
【００４３】
そして、図１１では、メール通信ボタンを操作したとき、ディスプレイには受信メールが一覧表示される(ステップＳ７１)。カーソル操作により、添付ファイルのある受信メールの１を選択して添付ファイルを開く(ステップＳ７２)。添付ファイルが開かれると、ステップＳ７３に移行してデータが保存される。
【００４４】
これら図９ないし図１１に示すようにして取得した画像データは、アイコンフォルダに保存されており、図２に示したアイコンの登録に際しては、保存されたアイコンを設定者と関連付けて登録する。
【００４５】
（変形例）
上記実施例では、電話に組み合わされる通信方法として、メールおよびスカイメッセージの２例を挙げたが、他の通信方法、例えばデータ伝送等であってもよいし、通信方法の数も増減することができる。
【００４６】
また、上記実施例における選択キー、マイメンバーキー、発信ボタン、メールボタンなどは、いわゆるソフトキーと呼ばれ、ハードキーの機能をソフトウェアで切り替えて１つのハードキーに複数の機能を与えるようにすることもできる。
【００４７】
また、上記実施例における携帯電話機には、ＰＤＡと呼ばれる携帯情報機器とかパソコン等で電話機能を持ったものも包含するものであり、これらに本発明を適用して同様に使用することができる。
【００４８】
【発明の効果】
本発明は上述のように、携帯電話機のディスプレーに所定の呼出し相手の特徴を有するアイコンを表示して、このアイコン中の所望のものを選択することにより呼出し操作を行うため、利便性に富みかつ使用者が楽しさを感じる操作によって呼出しをすることができる。しかも、アイコンは画像として表示されているので、直感的に選択することができ、年配者にとっても携帯電話機が使い易いものとなる。
【図面の簡単な説明】
【図１】本発明の一実施例の外観構成を示す説明図。
【図２】図１に示した携帯電話機を用いてマイメンバーを登録するための操作を示すフローチャート。
【図３】図１に示した携帯電話機を用いて特定の相手を呼出すための操作内容をグラフィック表示した説明図。
【図４】図３を用いて説明した動作内容を示すフローチャート。
【図５】図４のフローチャートに替わる専用キー操作による動作内容を示すフローチャート。
【図６】本発明の一実施例の内部構成を示すブロック線図。
【図７】図７は、本発明における呼出し動作を行うための、マイメンバーの事前登録操作の変形例を示したフローチャート。
【図８】図８(a)，(b)は、データフォルダ内に格納された画像データの表示方法を示す説明図。
【図９】画像データの取り込み動作を示すフローチャートで、撮影画像の場合を示す図。
【図１０】画像データの取り込み動作を示すフローチャートで、ダウンロード画像の場合を示す図。
【図１１】画像データの取り込み動作を示すフローチャートで、メール添付ファイルの場合を示す図。
【符号の説明】
ＫＢ  キーボード
ＤＩＳ  ディスプレー
Ｋｓ  選択キー
Ｋｍ  マイメンバーキー
ＡＮＴ  アンテナ
ＩＣＯＮ  アイコン出力手段
ＭＥＮＵ  通信メニュー出力手段
ＣＯＭ  通信手段
Ｓ０１〜Ｓ３３  動作フローのステップ
【図１】
2004208217.tif 000003
【図２】
2004208217.tif 000004
【図３】
2004208217.tif 000005
【図４】
2004208217.tif 000006
【図５】
2004208217.tif 000007
【図６】
2004208217.tif 000008
【図７】
2004208217.tif 000009
【図８】
2004208217.tif 000010
【図９】
2004208217.tif 000011
【図１０】
2004208217.tif 000012
【図１１】
2004208217.tif 000013